(57)【要約】【課題】できるだけ樹脂材に対する端部加工を減らすことができると共にカシメも不要な框体を有した複合サッシを提供する。【解決手段】框体２には内周面にガラス体３を納めるガラス開口溝が形成され、上框５０と下框４０は両端部に縦框６０と召合せ框７０のガラス開口溝６５、７５にそれぞれ差込固定される横連結部を有すると共に、中央部を金属材４１、５１と樹脂材４２、５２で、横連結部４６、５６を金属材４２、５２で構成され、横連結部の金属材４２、５２にはその室内側面を覆う小口カバー８０が設けられて縦框６０、７０と連結する。【選択図】図４
2006291478.tif 000002
【特許請求の範囲】
【請求項１】
建物開口部に方形状の枠体を設け、該枠体の内部に内障子と外障子とを引き違い状に納めてなり、該内障子と外障子はそれぞれ金属材の室内側に樹脂材を配設した上框と下框と縦框及び召合せ框を方形状に框組みした框体にガラス体を納めてなる複合サッシにおいて、
上記框体は内周面に上記ガラス体を納めるガラス開口溝が形成され、上記上框と下框は両端部に上記縦框と召合せ框のガラス開口溝にそれぞれ差込固定される横連結部を有すると共に、中央部を上記金属材と樹脂材で、少なくとも１つの上記横連結部を上記金属材で構成し、該金属材で構成された上記横連結部にはその室内側面を覆う小口カバーが設けられて上記縦框または召合せ框と連結することを特徴とする複合サッシ。
【請求項２】
上記内障子の縦框と召合せ框は両端部に上記上框と下框を差込固定する縦連結部を有し、少なくとも１つの上記縦連結部は上記金属材で構成すると共に、該金属材で構成された上記縦連結部にはその室内露出面を覆う端部ブロックが設けられて上記上框または下框と連結することを特徴とする請求項１記載の複合サッシ。
【請求項３】
上記内障子の端部ブロックは上記小口カバーの室内側面より室内側に配置され上記縦框または召合せ框の樹脂材の端部を覆う端部被覆部を有し、該端部被覆部は室外側に段部が形成され、上記内障子の小口カバーは室内側面に上記端部ブロックの段部に納められる突出面を有してなることを特徴とする請求項２記載の複合サッシ。
【請求項４】
上記金属材で構成された横連結部は室内側面に嵌合孔を有し、上記小口カバーは室外側面に上記嵌合孔に嵌合する嵌合部を有してなることを特徴とする請求項１〜３のいずれか１項に記載の複合サッシ。
【請求項５】
上記小口カバーは上記上框または下框の樹脂材の端面と当接する内側端面に弾性部を有し、該弾性部により上記樹脂材の端面を押圧することを特徴とする請求項１〜４のいずれか１項に記載の複合サッシ。
【請求項６】
上記内障子に設けられる小口カバーはその室内側面に上記弾性部を有した内側端面より突出させたカバー部を有してなることを特徴とする請求項５記載の複合サッシ。
【請求項７】
上記外障子の縦框と召合せ框は上記金属材の略全長に渡って樹脂材が配設されてなり、該樹脂材の室内側面は上記小口カバーの室内側面より室内側に配置されて被覆することを特徴とする請求項１〜６のいずれか１項に記載の複合サッシ。
【発明の詳細な説明】
【技術分野】
【０００１】
本発明は、金属材の室内側に樹脂材を配設した複合サッシに関し、特に横框と縦框の連結部分にカバー体を設けて被覆してなる内外障子を納めた複合サッシに関する。
【背景技術】
【０００２】
従来から、金属材の室内側に樹脂材を配設してなる複合材によって構成した複合サッシが用いられている。複合サッシは、室内露出面を樹脂材で構成しているために、断熱性が高く、また室内側から見た意匠性を高めることができる。複合サッシは様々な種類の窓サッシを構成することができ、その中に内外の引き違い障子を枠体内に納めてなる引き違いサッシがある。
【０００３】
障子は、上下の横框と左右の縦框とを方形状に框組みしてなる框体にガラス体を納めてなり、横框と縦框は複合材から構成される。この障子は、一般的に複合材から構成される枠体内に納められるもので、このような複合サッシとしては例えば特許文献１に挙げるようなものがある。
【特許文献１】特許第３５０７０３１号公報
【０００４】
横框と縦框は、内周側にガラス体を納めるためのガラス開口溝を有しており、横框は縦框のガラス開口溝と略同じ幅に形成されており、横框の端部を縦框のガラス開口溝に飲み込ませた状態で両者を固定し連結している。
【発明の開示】
【発明が解決しようとする課題】
【０００５】
従来の複合サッシにおいては、框を構成する金属材の略全長に渡って樹脂材を配設しているため、横框と縦框の連結部分において樹脂材に端部加工を施す必要があった。樹脂材に対する加工の工数が多くなると、寸法に誤差を生じやすい。また、樹脂材を金属材に取付ける際には、樹脂材を金属材にスライド状に取付けた上で、適所をカシメにより動かないように固定しているが、この工程も樹脂材の寸法精度を悪化させる原因となっていた。
【０００６】
本発明は、上記課題を解決すべくなされたものであり、できるだけ樹脂材に対する端部加工を減らすことができると共にカシメも不要な框体を有した複合サッシを提供することを目的とする。
【課題を解決するための手段】
【０００７】
上記課題を解決するため、本発明に係る複合サッシは、建物開口部に方形状の枠体を設け、該枠体の内部に内障子と外障子とを引き違い状に納めてなり、該内障子と外障子はそれぞれ金属材の室内側に樹脂材を配設した上框と下框と縦框及び召合せ框を方形状に框組みした框体にガラス体を納めてなる複合サッシにおいて、
上記框体は内周面に上記ガラス体を納めるガラス開口溝が形成され、上記上框と下框は両端部に上記縦框と召合せ框のガラス開口溝にそれぞれ差込固定される横連結部を有すると共に、中央部を上記金属材と樹脂材で、少なくとも１つの上記横連結部を上記金属材で構成し、該金属材で構成された上記横連結部にはその室内側面を覆う小口カバーが設けられて上記縦框または召合せ框と連結することを特徴として構成されている。
【０００８】
また、本発明に係る複合サッシは、上記内障子の縦框と召合せ框は両端部に上記上框と下框を差込固定する縦連結部を有し、少なくとも１つの上記縦連結部は上記金属材で構成すると共に、該金属材で構成された上記縦連結部にはその室内露出面を覆う端部ブロックが設けられて上記上框または下框と連結することを特徴として構成されている。
【０００９】
さらに、本発明に係る複合サッシは、上記内障子の端部ブロックは上記小口カバーの室内側面より室内側に配置され上記縦框または召合せ框の樹脂材の端部を覆う端部被覆部を有し、該端部被覆部は室外側に段部が形成され、上記内障子の小口カバーは室内側面に上記端部ブロックの段部に納められる突出面を有してなることを特徴として構成されている。
【００１０】
さらにまた、本発明に係る複合サッシは、上記金属材で構成された横連結部は室内側面に嵌合孔を有し、上記小口カバーは室外側面に上記嵌合孔に嵌合する嵌合部を有してなることを特徴として構成されている。
【００１１】
そして、本発明に係る複合サッシは、上記小口カバーは上記上框または下框の樹脂材の端面と当接する内側端面に弾性部を有し、該弾性部により上記樹脂材の端面を押圧することを特徴として構成されている。
【００１２】
また、本発明に係る複合サッシは、上記内障子に設けられる小口カバーはその室内側面に上記弾性部を有した内側端面より突出させたカバー部を有してなることを特徴として構成されている。
【００１３】
さらに、本発明に係る複合サッシは、上記外障子の縦框と召合せ框は上記金属材の略全長に渡って樹脂材が配設されてなり、該樹脂材の室内側面は上記小口カバーの室内側面より室内側に配置されて被覆することを特徴として構成されている。
【発明の効果】
【００１４】
本発明に係る複合サッシによれば、上框と下框は両端部に縦框と召合せ框のガラス開口溝にそれぞれ差込固定される横連結部を有すると共に、中央部を金属材と樹脂材で、少なくとも１つの横連結部を金属材で構成し、その横連結部の金属材にはその室内側面を覆う小口カバーが設けられて縦框及び召合せ框と連結することにより、上下框の樹脂材の端部を小口カバーで構成することになり、樹脂材の端部加工を減らすことができるので、樹脂材の寸法精度を充分に確保することができる。
【００１５】
また、本発明に係る複合サッシによれば、内障子の縦框と召合せ框は両端部に上框と下框を差込固定する縦連結部を有し、少なくとも１つの縦連結部は金属材で構成すると共に、金属材の室内露出面を覆う端部ブロックが設けられて上框及び下框と連結することにより、縦框についても端部を端部ブロックで構成することになり、樹脂材の端部加工を減らすことができるので、樹脂材の寸法精度を充分に確保することができる。
【００１６】
さらに、本発明に係る複合サッシによれば、内障子の端部ブロックは小口カバーの室内側面より室内側に配置され縦框及び召合せ框の樹脂材の端部を覆う端部被覆部を有し、端部被覆部は室外側に段部が形成され、内障子の小口カバーは室内側面に端部ブロックの段部に納められる突出面を有してなることにより、端部ブロックの突出面によって端部ブロックの端部被覆部を外側から固定することができるので、端部ブロックの端部被覆部が樹脂材の変形等によりめくれることを防ぐことができる。
【００１７】
さらにまた、本発明に係る複合サッシによれば、上框と下框の連結部は室内側面に嵌合孔を有し、小口カバーは室外側面に嵌合孔に嵌合する嵌合部を有してなることにより、小口カバーにより樹脂材を位置決め固定することができるので、樹脂材に対するカシメが不要となり、より樹脂材の寸法精度を高めることができる。
【００１８】
そして、本発明に係る複合サッシによれば、小口カバーは上框と下框の樹脂材の端面と当接する内側端面に弾性部を有し、弾性部により樹脂材の端面を押圧することにより、樹脂材の寸法誤差をその両側で吸収することができる。
【００１９】
また、本発明に係る複合サッシによれば、内障子に設けられる小口カバーはその室内側面に弾性部を有した内側端面より突出させたカバー部を有してなることにより、樹脂材が温度変化等により収縮し小口カバーとの間に隙間が生じても、それを室内側から見えないようにすることができる。
【００２０】
さらに、本発明に係る複合サッシによれば、外障子の縦框と召合せ框は金属材の略全長に渡って樹脂材が配設されてなり、樹脂材の室内側面は小口カバーの室内側面より室内側に配置されて被覆することにより、外障子についても上下框と縦框及び召合せ框の樹脂材端部加工を減らすことができて、その寸法精度を充分に確保することができる。
【発明を実施するための最良の形態】
【００２１】
本発明の実施形態について、図面に沿って詳細に説明する。図１は、本実施形態における複合サッシの縦断面図である。図２は、本実施形態における複合サッシの横断面図である。これら各図に示すように本実施形態における複合サッシは、建物開口部に設けられる枠体１内に外障子４と内障子５を引き違い状に納めてなるものである。
【００２２】
枠体１は、下枠１０上枠２０及び左右の縦枠３０、３０を方形状に枠組みしてなり、それが建物開口部に対して固定されている。枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００２３】
各枠材は複合材から構成されており、したがって金属材からなる金属下枠１１と金属上枠２１及び左右の金属縦枠３１、３１を方形状に枠組みしてそれが建物躯体７０に対して固定され、金属下枠１１の室内側には樹脂下枠１２を、金属上枠２１の室内側には樹脂上枠２２を、金属縦枠３１の室内側には樹脂縦枠３２を、それぞれ配設して構成される。
【００２４】
下枠１０の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。また、上枠２０の下面には、その長手方向略全長に渡って外レール２５と内レール２６及び網戸レール２７が形成されている。これらは下枠１０の各レールと対応した位置に形成されており、それぞれ外障子４と内障子５及び網戸６をサッシの長手方向に案内する。
【００２５】
次に、外障子４と内障子５について説明する。これらの障子は、框４０と上框５０と縦框６０及び召合せ框７０とを方形状に框組みしてなる框体２の内部に、ガラス体３を納めてなるものである。そして、框体２は、室外側に金属材を配し、室内側に樹脂材を配した複合材からなるものである。
【００２６】
下框４０は、室外側の金属下框４１と、その室内面に取付けられる樹脂下框４２とから構成されている。下框４０の上部は、長手方向略全長に渡って、グレチャン７を挟持しガラス体３を納めることができるように、凹形状とされた溝状のガラス開口溝４５を形成している。ガラス開口部４５の室外側は金属下框４１、室内側は樹脂下框４２により構成されている。また、ガラス開口部４５の底面は室外側が金属下框４１で、室内側が樹脂下框４２で構成されている。下框４０の下端部には戸車４３が設けられて、枠体１内を走行自在となるようにされている。
【００２７】
上框５０は、室外側の金属上框５１と、その室内面に取付けられる樹脂上框５２とから構成されている。上框５０の下部は、長手方向略全長に渡って、グレチャン７を挟持しガラス体３を納めることができるように、凹形状とされた溝状のガラス開口溝５５を形成している。ガラス開口部５５の室外側は金属上框５１、室内側は樹脂上框５２により構成されている。また、ガラス開口部５５の底面は室外側が金属上框５１で、室内側が樹脂上框５２で構成されている。
【００２８】
縦框６０は、室外側の金属縦框６１と、その室内面に取付けられる樹脂縦框６２とから構成されている。縦框６０の内周面は、長手方向略全長に渡って、グレチャン７を挟持しガラス体３を納めることができるように、凹形状とされた溝状のガラス開口溝６５を形成している。召合せ框７０も、室外側の金属召合せ框７１と、その室内面に取付けられる樹脂召合せ框７２とから構成されていて、内周面は長手方向略全長に渡って、グレチャン７を挟持しガラス体３を納めることができるように、凹形状とされた溝状のガラス開口溝７５を形成している。
【００２９】
内障子５の樹脂召合せ框７２は、その室内面が金属召合せ框７１の室内面と離隔するように形成され、召合せ框７０が中空部を有し断熱性を有するように構成される。一方、外障子４の樹脂召合せ框７２は、障子を閉じた状態では室内側に直接露出しないことから、意匠性を確保するために板状に形成されている。
【００３０】
次に、内障子５を構成する各框の連結構造について説明する。図３には、内障子５を構成する框の分解斜視図を示している。この図に示すように、下框４０は両端部に金属下框４１のみから構成される横連結部４６、４６を有しており、一方の横連結部４６は縦框６０のガラス開口溝６５に、他方の横連結部４６は召合せ框７０のガラス開口溝７５に、それぞれ飲み込まれて連結される。樹脂下框４２は、両端の横連結部４６、４６以外の領域である下框４０の中央部に配置される。
【００３１】
上框５０も同様に、両端部に金属上框５１のみから構成される横連結部５６、５６を有し、一方は縦框６０のガラス開口溝６５に、他方は召合せ框７０のガラス開口溝７５に、それぞれ飲み込まれて連結される。樹脂上框５２は、両端の横連結部５６、５６以外の領域である上框５０の中央部に配置される。
【００３２】
縦框６０は、上下端部が金属縦框６１のみからなる縦連結部６６、６６として構成されている。この縦連結部６６に対して下框４０の横連結部４６及び上框５０の横連結部５６が連結される。また、召合せ框７０も、上下端部が金属召合せ框７１のみからなる縦連結部７６、７６として構成されている。この縦連結部７６に対して下框４０の横連結部４６及び上框５０の横連結部５６が連結される。
【００３３】
図４には、内障子５を構成する各框について、カバー及びキャップを取付けた状態の分解斜視図を示している。下框４０の横連結部４６と上框５０の横連結部５６には、その室内側面を覆うようにそれぞれ内小口カバー８０が設けられる。また、縦框６０の下框４０との縦連結部６６には、その室内側面を覆うように下端ブロック８２が設けられ、召合せ框７０の下框４０との縦連結部６６には、その室内側面を覆うように下端キャップ８３が設けられる。なお、召合せ框７０下端面には、下端キャップ８３より室外側から召合せ框７０の側面にかけて下端ワイパー８４が設けられる。下端ワイパー８４の室外端部には、軟質樹脂からなるヒレ部８４ａが形成されており、これが外障子４の召合せ框７０に当接することで、外障子４と内障子５の下端部における気密性を確保している。
【００３４】
縦框６０の上框５０との縦連結部６６には、その室内側面を覆うように上端ブロック８５が設けられ、召合せ框７０の縦連結部７６には、その室内側面を覆うように上端キャップ８６が設けられる。なお、召合せ框７０の上端面には、上端キャップ８６より室外側に上端ブロック８５が設けられる。
【００３５】
下框４０に内小口カバー８０を設けることなく、樹脂下框４２を金属下框４１の横連結部４６まで設ける場合、図４に示す内小口カバー８０の上方部分について樹脂下框４２を切り欠く端部加工が必要となる。これに対して内小口カバー８０を横連結部４６に設けると、樹脂下框４２に対する端部加工が不要となる。上框５０についても同様に樹脂上框５２に対する端部加工が不要となる。このように、横連結部４６、５６には内小口カバー８０が設けられることにより、樹脂下框４２及び樹脂上框５２は端部を切欠くなどの加工を必要としないため、寸法精度を充分に確保することができる。
【００３６】
内小口カバー８０についてより詳細に説明する。図５には、上框５０の縦框６０との横連結部５６に取付けられる内小口カバー８０の斜視図を示している。内小口カバー８０は、室外側面に突起状の嵌合部８０ａを有し、樹脂上框５２側の側面の上下部にはそれぞれ弾性状に形成された突起として弾性部８０ｂを有している。図３に示すように、金属上框５１の横連結部５６には、室内側面に嵌合孔５７が形成されており、内小口カバー８０の嵌合部８０ａが嵌合して内小口カバー８０を上框５０に対して位置決め固定する。下框４０についても同様で、金属下框４１の横連結部４６には、室内側面に嵌合孔４７が形成されていて、内小口カバー８０の嵌合部８０ａが嵌合する。
【００３７】
また、上下の弾性部８０ｂ、８０ｂ間の室内側面は、樹脂上框５２側にやや突出するように形成されてカバー部８０ｃを構成している。さらに、室内側面の中央よりやや下方には、室内側に向かって突出する突出面８０ｄが形成されている。この突出面８０ｄより上方の室内側面が上框５０と縦框６０が連結された際に室内側に露出する。
【００３８】
図６には、内小口カバー８０を上框５０に取付けた状態における室内側から見た拡大正面図を示している。内小口カバー８０は上述のように金属上框５１の横連結部５６の室内側面を略覆うように設けられる。室外側面に設けられる嵌合部８０ａは、上框５０の端部側に配置されていて、これが金属上框５１の嵌合孔５７に嵌合し固定されている。
【００３９】
内小口カバー８０の弾性部８０ｂは、樹脂上框５２の端面に当接し、これを内側に向かって押圧付勢した状態とする。樹脂上框５２の他端部においても同様に、内小口カバー８０の弾性部８０ｂにより樹脂上框５２が内側に向かって押圧付勢される。これにより、樹脂上框５２の寸法誤差を吸収することができる。
【００４０】
さらに、内小口カバー８０のカバー部８０ｃにより、樹脂上框５２の端部を室内側から覆うようにしている。これにより、樹脂上框５２が温度変化などにより寸法変化して内小口カバー８０の端面との間に隙間が生じても、それが室内側に露出しないようにすることができて、意匠性の高いサッシとすることができる。なお、下框４０においても、同様の構造により隙間が室内側に露出しないようにしている。
【００４１】
図７には、内障子５を構成する召合せ框７０の上端に設けられる上端キャップ８６の室外側から見た斜視図を示している。上端キャップ８６は、内小口カバー８０の室内側面より室内側に配置され、樹脂召合せ框７２の上縁を覆う端部被覆部８６ａを有し、その上面室外側には段部８６ｂが形成されている。内小口カバー８０の突出面８０ｄは、この段部８６ｂに納められるように配置される。上端ブロック８５や下端ブロック８２及び下端キャップ８３にも、同様に端部被覆部及び段部が形成されており、段部には内小口カバー８０の突出面８０ｄが配置される。
【００４２】
図８には、組立てられた内障子５の斜視図を、図９には、組立てられた内障子５の正面図を、それぞれ示している。これらの図に示すように、下框４０と上框５０の横連結部４６、５６は内小口カバー８０により覆われ、また縦框６０と召合せ框７０の縦連結部６６、７６は下端ブロック８２と下端キャップ８３、上端ブロック８５及び上端キャップ８６により覆われており、室内側に露出しないようにされている。
【００４３】
上端キャップ８６は、上述のように段部８６ｂを内小口カバー８０の突出面８０ｄにより覆われている。これによって、端部被覆部８６ａがめくれることを防止している。また、上端ブロック８５も同様に端部被覆部８５ａが内小口カバー８０の突出面８０ｄに当接し、さらに下端ブロック８２及び下端キャップ８３も同様に端部被覆部８２ａ、８３ａがそれぞれ内小口カバー８０の突出面８０ｄに当接し、端部被覆部８５ａ、８２ａ、８３ａがめくれることを防止している。
【００４４】
次に、外障子４を構成する各框の連結構造について説明する。図１０には、外障子４を構成する框の分解斜視図を示している。この図に示すように、外障子４においても下框４０は両端部に横連結部４６、４６を有し、一方の横連結部４６は縦框６０のガラス開口溝６５に、他方の横連結部４６は召合せ框７０のガラス開口溝７５に、それぞれ飲み込まれて連結される。樹脂下框４２は、両端の横連結部４６、４６以外の領域である下框４０の中央部に配置される。また、樹脂下框４２の一端部には、端面から長方形状に切り欠かれた挿入孔４８が形成されている。この挿入孔４８には、内外障子のストッパとして機能する簡易ロック部４４が取付けられる。
【００４５】
上框５０も同様に、両端部に横連結部５６、５６を有し、一方は縦框６０のガラス開口溝６５に、他方は召合せ框７０のガラス開口溝７５に、それぞれ飲み込まれて連結される。樹脂上框５２は、両端の横連結部５６、５６以外の領域である上框５０の中央部に配置される。
【００４６】
縦框６０は、樹脂縦框６２が金属縦框６１の略全長に渡って設けられている。すなわち、樹脂縦框６２は縦框６０の縦連結部６６も構成している。召合せ框７０についても、樹脂召合せ框７２が縦連結部７６を含む召合せ框７０の略全長に渡って設けられている。外障子４は内障子５と異なり上下に段部を有しておらず、端部を切り欠き等する必要がないため、樹脂縦框６２や樹脂召合せ框７２を縦框６０や召合せ框７０の略全長に渡って設けても端部加工の必要がほとんどない。
【００４７】
図１１には、外障子４を構成する框に外小口カバー８１及び端部カバーを取付けた状態の分解斜視図を示している。下框４０と上框５０には、内障子５の場合と同様に外小口カバー８１が横連結部４６、５６にそれぞれ設けられる。また、縦框６０と召合せ框７０には、それぞれ上端ブロック８５と下端ブロック８２が設けられる。樹脂下框４２の挿入孔４８には、内部にシーソー部４４ａを納めた簡易ロック部４４が端部からスライド状に挿入され取付けられる。横連結部４６に外小口カバー８１を設けることとしたので、樹脂下框４２の挿入孔４８は端部と連通させることができ、簡易ロック部４４を挿入孔４８に対して容易に挿入固定することができる。
【００４８】
外小口カバー８１については、その斜視図を図１２に示している。外小口カバー８１は、図１２に図示した面の反対側に嵌合部８１ａを有し、また内小口カバー８０と同様に側面には弾性部８１ｂを有している。弾性部８０ｂは内小口カバー８０と同様、樹脂下框４２及び樹脂上框５２の側面をそれぞれ両側から内側に向かって押圧付勢する。ただし、外小口カバー８１は内小口カバー８０と異なり室内側に露出しないブロック状に形成されている。
【００４９】
図１３には、組立てられた外障子４の斜視図を、図１４には、組立てられた外障子４の正面図を、それぞれ示している。これらの図に示すように、外小口カバー８１は縦連結部６６、７６まで設けられた樹脂縦框６２及び樹脂召合せ框７２によって覆われており、室内側には露出しない。また、下端ブロック８２及び上端ブロック８５も縦框６０及び召合せ框７０の上下端面をそれぞれ覆うもので、召合せ框７０の下端ブロック８２に形成されるヒレ部８２ａ以外は室内側に露出しない。
【００５０】
このように、外障子４については、下框４０と上框５０の横連結部４６、５６に外小口カバー８１を設けた上で、縦框６０と召合せ框７０の縦連結部７６で覆うように連結することにより、下框４０と上框５０について内障子５と同様に樹脂材の端部加工を要しないようにすることができる。
【００５１】
以上、本発明の実施形態について説明したが、本発明の適用は本実施形態には限られず、その技術的思想の範囲内において様々に適用されうるものである。例えば、本実施形態では、下框４０と上框５０の各両端部を金属材のみからなる横連結部４６、５６として、それぞれに内小口カバー８０または外小口カバー８１を設けているが、全ての横連結部４６、５６をこのように構成する必要はなく、上框５０の横連結部５６のみ、あるいは召合せ框７０と連結する横連結部４６、５６のみ、ないし１か所のみに小口カバーを設ける構成とすることもできる。また、縦框６０と召合せ框７０についても、少なくとも１か所について金属材のみからなる縦連結部６６、７６として、それを被覆する下端ブロック８２等を設けるようにしてもよい。
【図面の簡単な説明】
【００５２】
【図１】本実施形態における複合サッシの縦断面図である。
【図２】本実施形態における複合サッシの横断面図である。
【図３】内障子を構成する框の分解斜視図である。
【図４】内障子を構成する框に小口カバー及び端部カバーを取付けた状態の分解斜視図である。
【図５】内障子用の小口カバーの斜視図である。
【図６】小口カバーを上框に取付けた状態の拡大正面図である。
【図７】内障子召合せ框の上端キャップを室外側から見た斜視図である。
【図８】組立てられた内障子の斜視図である。
【図９】組立てられた内障子の正面図である。
【図１０】外障子を構成する框の分解斜視図である。
【図１１】外障子を構成する框に小口カバー及び端部カバーを取付けた状態の分解斜視図である。
【図１２】外障子用の小口カバーの斜視図である。
【図１３】組立てられた外障子の斜視図である。
【図１４】組立てられた外障子の正面図である。
【符号の説明】
【００５３】
１    枠体
２    框体
３    ガラス体
４    外障子
５    内障子
１０    下枠
２０    上枠
３０    縦枠
４０    下框
４１    金属下框
４２    樹脂下框
４５    ガラス開口溝
４６    横連結部
４７    嵌合孔
５０    上框
５１    金属上框
５２    樹脂上框
５５    ガラス開口溝
５６    横連結部
５７    嵌合孔
６０    縦框
６１    金属縦框
６２    樹脂縦框
６５    ガラス開口溝
６６    縦連結部
７０    召合せ框
７１    金属召合せ框
７２    樹脂召合せ框
７５    ガラス開口溝
７６    縦連結部
８０    内小口カバー
８１    外小口カバー
８２    下端ブロック
８３    下端キャップ
８４    下端ワイパー
８５    上端ブロック
８６    上端キャップ
【図１】
2006291478.tif 000003
【図２】
2006291478.tif 000004
【図３】
2006291478.tif 000005
【図４】
2006291478.tif 000006
【図５】
2006291478.tif 000007
【図６】
2006291478.tif 000008
【図７】
2006291478.tif 000009
【図８】
2006291478.tif 000010
【図９】
2006291478.tif 000011
【図１０】
2006291478.tif 000012
【図１１】
2006291478.tif 000013
【図１２】
2006291478.tif 000014
【図１３】
2006291478.tif 000015
【図１４】
2006291478.tif 000016